(57)【要約】【課題】  本発明は遊技釘の調整を防止することを課題とする。【解決手段】  前枠１２に取り付けられる遊技盤２０の前面側には、遊技領域ＰＡを覆う透明な遊技釘保護板８０が固定用ねじ部材８４により締結される。そのため、ガラス扉１５のガラス板１５Ａと遊技盤２０との間に遊技釘保護板８０が介在している。この遊技釘保護板８０は、透明なガラス板またはアクリル板等により形成されており、遊技領域ＰＡが対向する背面には、遊技釘１９の端部が嵌合する複数の嵌合孔が設けられている。従って、パチンコ機は、例え施錠装置１４のキーを所持する第三者が施錠装置１４を開錠してガラス扉１５を開いたとしても遊技領域ＰＡを覆うように固定された遊技釘保護板８０により、遊技釘１９に直接触れることができず、遊技釘１９の位置や傾きを調整できないように構成されている。【選択図】  図３
2006247283.tif 000002
【特許請求の範囲】
【請求項１】
遊技球が通過可能な始動口及び入球口が前面に設けられた遊技盤と、
該遊技盤の前面に打ち込まれ、前記遊技球の進路を変更させる複数の遊技釘と、
前記遊技盤に対して回動可能に支持され、前記遊技盤の前面を覆うガラス板を有するガラス扉と、
を備えた弾球遊技機において、
前記複数の遊技釘の端部が嵌合する複数の嵌合孔を有する透明板を前記遊技盤の前面に固定したことを特徴とする弾球遊技機。
【請求項２】
前記透明板は、複数の締結手段により前記遊技盤の前面に固定されたことを特徴とする請求項１に記載の弾球遊技機。
【請求項３】
前記複数の嵌合孔は、前記複数の遊技釘の頭部に嵌合して前記遊技釘の位置を規制することを特徴とする請求項１または２に記載の弾球遊技機。
【請求項４】
前記透明板は、前記ガラス扉と前記遊技盤との間に介在し、ガラス扉を開いた状態で前記遊技盤の前面を覆うことにより前記遊技釘の傾き調整を阻止する遊技釘保護板として機能するように設けられたことを特徴とする請求項１乃至３の何れかに記載の弾球遊技機。
【発明の詳細な説明】
【技術分野】
【０００１】
本発明は弾球遊技機に係り、特に遊技盤の前面に打ち込まれた複数の遊技釘の調整を禁止するよう構成した弾球遊技機に関する。
【背景技術】
【０００２】
弾球遊技機には、例えば、第１種パチンコ遊技機や第２種パチンコ遊技機と称されるものがあり、従来から広く親しまれている。第１種パチンコ遊技機は、複数の遊技釘が打ち込まれた所定の遊技領域を有する遊技盤と、遊技領域に設けられて遊技球が通過可能な始動口と、始動口を遊技球が通過すると、所定の抽選を行う抽選手段と、抽選手段による抽選結果に基づいて図柄を変動表示可能な図柄表示装置とを備えた構成とされている。そして、図柄表示装置に停止表示された図柄が予め定められた当たり図柄であるときに、遊技領域の下部に設けられた大入賞装置により大入賞口を開放して遊技球の入賞を容易にすることで、遊技者に通常遊技よりも有利な特別遊技を行わせるようになっている。
【０００３】
第２種パチンコ遊技機は、複数の遊技釘が打ち込まれた所定の遊技領域を有する遊技盤と、遊技領域に設けられて遊技球が通過可能な始動口と、遊技領域に設けられて側部に形成された大入賞口を通じて遊技球が内部に入球可能な役物と、役物の側部に設けられて大入賞口を開閉可能な羽根部材とを有する構成とされている。そして、始動口を遊技球が通過することで羽根部材が大入賞口を開放し、羽根部材に拾われて大入賞口を通過（入賞）した遊技球が役物内のＶゾーンと称される特別入賞口に飛び込むと、羽根部材が大入賞口を比較的長い時間開放して遊技球の入賞を容易にすることで、遊技者に通常遊技よりも有利な特別遊技を行わせるようになっている。
【０００４】
このような遊技機では、遊技盤の前面に透明なガラス板をはめ込まれたガラス扉が開閉可能に取り付けられており、ガラス扉を閉じた状態では、ガラス板が遊技盤の遊技領域を覆うことで遊技盤に沿って発射された遊技球が飛び出すことを防止すると共に、遊技者が遊技球に触れることを防止して不正操作できないようにしている。また、ガラス扉の一側（例えば、左側）には、遊技盤の枠部材にヒンジを介して連結され、ガラス扉の他側（例えば、右側）には遊技盤の枠部材に固定された金属製の固定金具にロックされる施錠装置（キー式ロック機構）が取り付けられている。そして、ガラス扉の前面に設けられた施錠装置の鍵穴にキーを差し込んで所定角度回動操作することで、ガラス板がはめ込まれたガラス枠に対するロックが解除される。これにより、ガラス扉を開方向に回動することが可能になり、遊技盤の点検や清掃を行える（例えば、特許文献１参照）。
【特許文献１】特開２００３−２３６１９２号公報
【発明の開示】
【発明が解決しようとする課題】
【０００５】
しかしながら、上記特許文献１に記載された遊技機では、メーカの工場出荷時には、遊技盤の遊技領域に打ち込まれた遊技釘の位置が同じであるが、ガラス扉のキーがあればガラス扉を開いて遊技釘の位置や角度を調整することが可能になっている。このように遊技機毎に遊技釘の位置や角度を調整した場合、遊技球が遊技釘に当接した際の弾かれ方が遊技機毎に異なってしまい、各遊技機によって遊技球の落下コースが同じ条件でなくなるので、遊技者が平等に楽しむことができなくなるという問題があった。
【０００６】
そこで、本発明は上記課題を解決した弾球遊技機を提供することを目的とする。
【課題を解決するための手段】
【０００７】
上記課題を解決するため、本発明は以下のような手段を有する。
【０００８】
請求項１記載の発明は、遊技球が通過可能な始動口及び入球口が前面に設けられた遊技盤と、該遊技盤の前面に打ち込まれ、前記遊技球の進路を変更させる複数の遊技釘と、前記遊技盤に対して回動可能に支持され、前記遊技盤の前面を覆うガラス板を有するガラス扉と、を備えた弾球遊技機において、前記複数の遊技釘の端部が嵌合する複数の嵌合孔を有する透明板を前記遊技盤の前面に固定したことを特徴とする。
【０００９】
請求項２記載の発明は、前記透明板が、複数の締結手段により前記遊技盤の前面に固定されたことを特徴とする。
【００１０】
請求項３記載の発明は、前記複数の嵌合孔が、前記複数の遊技釘の頭部に嵌合して前記遊技釘の位置を規制することを特徴とする。
【００１１】
請求項４記載の発明は、前記透明板が、前記ガラス扉と前記遊技盤との間に介在し、ガラス扉を開いた状態で前記遊技盤の前面を覆うことにより前記遊技釘の傾き調整を阻止する遊技釘保護板として機能するように設けられたことを特徴とする。
【発明の効果】
【００１２】
本発明によれば、複数の遊技釘の端部が嵌合する複数の嵌合孔を有する透明板を遊技盤の前面に固定したため、ガラス扉を開いても遊技盤の前面が透明板に覆われており、遊技釘の位置や傾きを調整することができず、例えガラス扉のキーを所持する第三者がガラス扉の施錠を開錠したとしても遊技釘の位置や傾きを調整することを未然に防止することができる。
【００１３】
また、本発明によれば、透明板を複数の締結手段により遊技盤の前面に固定することにより、ガラス扉を開いた第三者が簡単に透明板を外すことができず、透明板を外すのに時間がかかるので、例えガラス扉のキーを所持する第三者がガラス扉の施錠を開錠したとしても遊技釘の位置や傾きを調整することを未然に防止することができる。
【００１４】
また、本発明によれば、透明板に設けられた複数の嵌合孔が遊技釘の頭部に嵌合して遊技釘の位置を規制するため、例え第三者が透明板を外して遊技釘の位置や傾きを調整しても調整後に遊技釘の頭部と嵌合孔との相対位置がずれてしまっているので、透明板の背面が遊技釘の頭部に当接して透明板を取り付けることができなくなり、遊技釘の位置や傾きを元の状態（メーカの工場出荷状態）に戻してから透明板を取り付けることになり、第三者による遊技釘の位置や傾きの調整を防止できる。
【００１５】
また、本発明によれば、透明板が、ガラス扉と遊技盤との間に介在し、ガラス扉を開いた状態で遊技盤の前面を覆うことにより遊技釘の傾き調整を阻止する遊技釘保護板として機能するため、透明板によって遊技釘の傾き調整を阻止すると共に、例えば、ガラス扉を開いた状態で点検または修理する際に誤って遊技釘に触れてしまって遊技釘の位置がずれることも防止することができる。
【発明を実施するための最良の形態】
【００１６】
以下、図面を参照して本発明を実施するための最良の形態について説明する。
【実施例１】
【００１７】
図１は本発明になる弾球遊技機の一実施例を示す正面図である。図２は図１に示す弾球遊技機の背面図である。図１及び図２を参照して、弾球遊技機の代表例としてパチンコ機（ぱちんこ遊技機）１０の全体構成について説明する。
【００１８】
パチンコ機１０は、図１に示されるように、縦向き長方形状の固定保持枠をなす外枠１１の開口前面に、これに合わせた長方形枠サイズに構成される開閉搭載用の前枠１２が互いに正面左側上下に配設されたヒンジ部材１３ａ，１３ｂにより横開き開閉及び着脱可能に取り付けられている。また、前枠１２は、正面右側に設けられた施錠装置１４により外枠１１と係合された閉鎖状態に保持される。
【００１９】
前枠１２の各部には、パチンコ遊技を展開する遊技展開部材として、前枠１２の前側面域に合わせた長方形状のガラス扉１５及び皿ユニット１６が正面左側部に設けられたヒンジ機構１７ａ〜１７ｃにより横開き開閉及び着脱可能に取り付けられている。皿ユニット１６の右側下部には、遊技球（図示せず）の発射操作を行なう操作ハンドル１８が装備されている。前枠１２の中央部から上部にかけて後方に突出する長方形枠状の収納枠（図示せず）が前枠１２と一体的に形成されており、この収納枠の所定のゲージ設定で構成された遊技盤２０が着脱可能にセット保持されている。また、遊技盤２０に形成された遊技領域ＰＡは、閉鎖保持されたガラス扉１５により覆われるため、遊技者は、ガラス扉１５にはめ込まれた透明なガラス板１５Ａを介して遊技領域ＰＡを視認することになる。
【００２０】
遊技盤２０の遊技領域ＰＡには、複数の遊技釘１９が打ち込まれている。遊技釘１９は、例えば、真鍮等の金属材料により形成されており、自動釘打ち機（図示せず）によって予め設定された所定位置に自動的に打ち込まれ、遊技盤２０に対して直角方向（水平方向）に突出した状態に固定される。
【００２１】
また、遊技盤２０の遊技領域ＰＡには、発射装置により加速された遊技球の発射方向を遊技盤２０の上部中央付近にガイドする内レール３２、外レール３４が設けられ、遊技球の落下方向を変更させる風車３６ａ，３６ｂとが設けられている。従って、発射装置から発射された遊技球は、内レール３２及び外レール３４にガイドされて複数の遊技釘１９に当接し、遊技球１９によって弾かれて進路を変更しながら落下し、風車３６ａ，３６ｂの回転方向に進路を変更される。
【００２２】
遊技領域ＰＡの中央部近傍には、特別図柄表示ランプ２１ａ、特別図柄表示カウンタ２１ｂ及び演出図柄表示装置２２が取り付けられたセンター役物３０が配置されている。また、遊技領域ＰＡの下部には、通過始動口２４ａを有する始動入賞装置２４が設けられている。始動入賞装置２４は、開閉型入賞装置であり、抽選結果が当たりになると、羽根物２４ｂが開いた状態になり、遊技球が通過始動口２４ａの周囲からも容易に入賞できる。
【００２３】
また、始動入賞装置２４の左右には、遊技球が通過可能な普通図柄作動ゲート２５が設けられ、始動入賞装置２４の下方には、第１大入賞装置２６が設けられている。そして、発射装置（図１では隠れて見えない）により遊技領域ＰＡに発射された遊技球が、普通図柄作動ゲート２５を通過すると、入賞検出センサ（図示せず）が検出信号を出力することで、抽選が行なわれる。そして、抽選の結果が当たりになると、始動入賞装置２４では、羽根物２４ｂが開いた状態に動作する。
【００２４】
また、通過始動口２４ａを通過した遊技球は、始動入賞装置２４内に設けられた入賞検出センサ（図示せず）に検出されて遊技盤２０の背面側に排出されるようになっている。
【００２５】
第１大入賞装置２６は、特別遊技中に第１大入賞口ソレノイド（図示せず）を用いて第１大入賞口２６ａを開放し、遊技球が第１大入賞口２６ａを通過することを容易にする。
【００２６】
第１大入賞口２６ａは、遊技領域ＰＡの下部に設けられた横長形状の入賞口であり、第１大入賞口２６ａが閉鎖状態にあるときは、遊技球は第１大入賞口２６ａを通過することができず、第１大入賞口２６ａが開放状態になったときに、遊技球が第１大入賞口２６ａを通過することが可能になる。そして、遊技球が第１大入賞口２６ａを通過すると、遊技球は第１大入賞口２６ａ内に設けられた入賞検出センサ（図示せず）に検出されて遊技盤２０の背面側に排出されるようになっている。
【００２７】
また、遊技領域ＰＡの右下部には、普通図柄作動ゲート２５での遊技球の通過を契機として行われる抽選の結果が当たりの場合には、羽根物２４ｂを開くことを表示する普通図柄表示装置２７が設けられている。この普通図柄表示装置２７は、２個の表示ランプからなる抽選表示ランプ２７ａと、４個の表示ランプからなる保留球数表示ランプ２７ｂとを有する。具体的な動作例として、例えば、抽選表示ランプ２７ａは、通常、２個のランプが交互に点灯して点滅状態となり、遊技球が普通図柄作動ゲート２５を通過して抽選が行なわれ、抽選結果が当たりの場合には、一方のランプのみが所定時間点灯される。このとき、始動入賞装置２４では、羽根物２４ｂが開いた状態になる。
【００２８】
また、抽選結果が外れの場合、２個の抽選表示ランプ２７ａのうち他方のランプを点灯させる。さらに、保留球数表示ランプ２７ｂは、遊技球が普通図柄作動ゲート２５を通過することにより点灯して保留球があることを表示する。本実施例では、普通図柄作動ゲート２５を通過した球数を４個まで保留することができ、保留球数分のランプ数が点灯する。そして、保留球数表示ランプ２７ｂは、抽選が終了する度に１個ずつ消灯される。
【００２９】
さらに、遊技領域ＰＡの左右下部には、普通入賞口２８ａを有する複数の普通入賞装置２８が設けられている。遊技球が普通入賞口２８ａを通過すると、遊技球は普通入賞装置２８内に設けられた入賞検出センサ（図示せず）に検出されて遊技盤２０の背面側に排出されるようになっている。
【００３０】
また、遊技領域ＰＡの下端には、各入賞装置に入賞せずに落下した遊技球を遊技盤２０の背面側に排出させるアウト口２９が設けられている。さらに、前枠１２の背面側には、図２に示されるように、裏セット盤４０を着脱可能に保持する複数の掛止レバー４８が設けられ、掛止レバー４８を回動操作することにより裏セット盤４０を前枠１２の背面側に掛止し、あるいは掛止解除することができる。
【００３１】
裏セット盤４０の背面各部には、遊技球を貯留する球貯留タンク４１、タンクレール４２、整列待機通路４３、賞球カセット４４、賞球排出通路４５などの賞球装置が装備されている。また、裏セット盤４０の背面各部には、電源基板５０や主基板６０等の制御基板は、サブ制御基板７０にワイヤーハーネス（図示せず）を介して接続されている。
【００３２】
また、皿ユニット１６に前側が覆われた前枠１２の下部領域には、遊技補助盤（図示せず）と称される補助機構部が形成されている。この遊技補助盤には、打球発射装置（図示せず）や、裏セット盤４０側の賞球排出通路４５と繋がり皿ユニット１６に排出できない遊技球を一時貯留する貯留タンク（図３を参照）などが設けられている。
【００３３】
ここで、前述した前枠１２、ガラス扉１５、遊技盤２０を含む構成についてさらに説明する。
【００３４】
図３は前枠１２の前面及び前枠１２の前面に取り付けられる部品を示す分解斜視図である。図３に示されるように、前枠１２の前面には、前述したガラス扉１５がヒンジ機構１７ａ，１７ｂにより横開き開閉及び着脱可能に取り付けられている。このガラス扉１５は、遊技領域ＰＡに対向する位置に２重ガラス構造とされたガラス板１５Ａがはめ込まれており、ガラス扉１５の上部内側には左右スピーカ８１，８２が取り付けられている。
【００３５】
また、前枠１２の前面右側には、キー差込式の施錠装置１４が設けられ、この施錠装置１４はガラス扉１５及び前枠１２を外枠１１に対してロックする構成であり、専用のキー（図示せず）が差し込まれて一方に回動操作されることによりロック解除状態に切り換わり、外枠１１に対してガラス扉１５及び前枠１２が開き、キーを他方に回動操作することによりガラス扉１５が前枠１２に対して開くことができる。
【００３６】
前枠１２に取り付けられる遊技盤２０の前面側には、遊技領域ＰＡを覆う透明な遊技釘保護板８０が固定用ねじ部材（締結部材）８４により締結される。そのため、ガラス扉１５のガラス板１５Ａと遊技盤２０との間に遊技釘保護板８０が介在している。
【００３７】
この遊技釘保護板８０は、透明なガラス板またはアクリル板等により形成されており、後述するように遊技領域ＰＡが対向する背面には、遊技釘１９の端部が嵌合する複数の嵌合孔が設けられている。従って、遊技釘保護板８０が遊技盤２０に固定されると、例え施錠装置１４のキーを所持する第三者が施錠装置１４を開錠してガラス扉１５を開いたとしても遊技釘保護板８０の前側から遊技釘１９を視認することができるものの、遊技釘１９に直接触れることができない。すなわち、遊技釘保護板８０は、第三者が遊技釘１９に触れることを禁止する隔壁として機能するものであり、後述するように第三者が遊技釘１９の位置や傾きを調整できないように遊技釘１９を覆っている。また、例えば、パチンコ機１０のメンテナンスを行うためにガラス扉１５を開いた状態で点検または修理作業を行う際に誤って（故意ではない）作業員が遊技釘１９に触れてしまって遊技釘１９の位置がずれることも防止することができる。
【００３８】
また、ガラス扉１５の下方に位置する前枠１２の前面下部には、前述した皿ユニット１６、遊技球を貯留する貯留タンク８５、貯留タンク８５からの遊技球の供給をオン・オフするシャッタ機構８６、発射装置カバー８７、下部スピーカ８８、スピーカカバー８９、貯留タンク電飾９０、ファールカバー９１等が取り付けられる。
【００３９】
図４は前枠１２の背面及び前枠１２の背面に取り付けられる部品を示す分解斜視図である。図４に示されるように、前枠１２の背面には、前述した裏セット盤４０の背面を覆う裏カバー９２が装着されており、中央部には前述した演出図柄表示装置２２を取り付けるための開口９２ａが設けられている。また、裏カバー９２は、複数の掛止レバー４８により掛止されて脱落を防止されている。また、裏セット盤４０は、複数のファスナーラッチ９３とファスナーベース９４とにより前枠１２の背面に保持される。
【００４０】
さらに、裏セット盤４０には、操作ハンドル１８が所定角度以上に回動操作されたとき貯留タンク８５から供給された遊技球を発射する発射装置９５、発射装置９５を制御する発射制御基板９６が取り付けられる。
【００４１】
また、前枠１２の背面側の側部（正面からみて右側）には、前枠１２を外枠１１に掛止される前枠掛止機構９７が設けられている。この前枠掛止機構９７は、上下方向に延在する固定金属板９７ａと、固定金属板９７ａに沿って上下方向にスライド可能に取り付けられたスライド板９７ｂと、スライド板９７ｂに設けられた一対の掛止用フック９７ｃと、スライド板９７ｂを復帰させるバネ部材９７ｄとを有する。一対のスライド板９７ｂは、前述した施錠機構１４のキー操作により回動する施錠用カム部材９８に連動して外枠１１に対する掛止を解除するように構成されており、掛止解除動作により前枠１２を外枠１１から離間させる方向に回動させることを可能とする。また、一対のスライド板９７ｂは、バネ部材９７ｄにより付勢されているので、前枠１２を外枠１１に収納される方向に回動させることにより外枠１１に設けられた掛止用金具（図示せず）に掛止されて前枠１２を回動不可状態に掛止する。
【００４２】
図５は演出図柄表示装置２２の裏側に取り付けられる部品を示す分解斜視図である。図５に示されるように、演出図柄表示装置２２は、取付ベース１１０の背面には、各種部品を取り付けるための複数の取付部１１０ａと、各種部品に応じた複数の開口１１０ｂが設けられている。
【００４３】
取付ベース１１０の裏側に取り付けられる部品としては、例えば、液晶ユニット１１１を取付ベース１１０に取り付ける上カバー１１２と、始動入賞口等の入賞した球を遊技盤２０の外部に排出するための球排出通路及び球検出センサを設けた下カバー１１３と、液晶ユニット１１１のサブ中継基板１１４と、液晶ユニット１１１等の遊技機全般の制御を行なうメインボード１１５と、メインボード１１５を支持するメインボードカバー１１６と、各機器と基板間を接続する複数のワイヤーハーネス１１７が取り付けられている。
【００４４】
ここで、本発明の要部を構成する遊技釘保護板８０の取付構造について図６及び図７を参照して説明する。図６は遊技釘保護板８０と遊技盤２０との相対位置関係を示す分解斜視図である。図７は遊技釘１９の保持構造を拡大して示す縦断面図である。
【００４５】
図６に示されるように、遊技釘保護板８０は、固定用ねじ部材８４が挿通される挿通孔８０ａが四隅の各角部近傍に設けられている。尚、本実施例では、遊技釘保護板８０を固定する締結部材として一般的に使用される固定用ねじ部材８４を用いた構成について説明するが、締結部材としては、これに限らず、例えば、おねじの頭部を工具で時計方向に回動させておねじをめねじに螺入させて締結し、その後おねじを緩める際にはおねじの頭部を反時計方向に回動させると、頭部が変形してしまうように構成された締結部材を用いても良い。この頭部を変形させる締結部材を用いた場合には、第三者が締結部材を緩めて遊技釘保護板８０を外したことが容易に分かる。
【００４６】
また、各挿通孔８０ａに対向する遊技盤２０の各位置には、固定用ねじ部材８４が螺入されるねじ孔１２０が設けられ、且つねじ孔１２０の近傍には遊技釘保護板８０の存在を検出する検出手段として機能するマイクロスイッチあるいはセンサ等からなる保護板検出部材１２１が設けられている。検出部材１２１は、前述したサブ制御基板７０等に接続されており、サブ制御基板７０に設けられた制御回路（図示せず）はガラス扉１５を閉じた状態で施錠装置１４がロックされている場合に遊技釘保護板８０の存在が検出されないと、例えば、左右スピーカ８１，８２から警報（アラーム）を発して不正操作があったことを報知する。
【００４７】
また、遊技盤２０の遊技領域ＰＡには、遊技釘１９が打ち込まれる複数の小孔１２２が予め設定された各位置に設けられている。そして、遊技盤２０の遊技領域ＰＡを覆う遊技釘保護板８０の背面には、上記複数の小孔１２２に対向する各位置に遊技釘１９の端部（頭部）が嵌合する嵌合孔１２３（図７参照）が設けられている。
【００４８】
上記小孔１２２の内径は、円柱ピン形状に形成された遊技釘１９の外径より若干小径に形成されており、嵌合孔１２３の内径は、円柱ピン形状に形成された遊技釘１９の外径より若干大径に形成されている。そのため、遊技釘１９は、小孔１２２に打ち込まれることにより、小孔１２２を拡径しながら圧入されて固定されるが、嵌合孔１２３に対しては微小なクリアランスがあるので、そのクリアランス分だけ遊嵌状態に嵌合される。
【００４９】
尚、遊技釘１９は、真鍮等の金属材料により形成されており、遊技球が当接した際に瞬間的に半径方向に撓み遊技球に対して反発力を付与して遊技球の進路を変更するものであるが、嵌合孔１２３に対しては微小なクリアランスがあるので、遊技球との当接によって弾性変形しても遊技釘保護板８０の負担が軽減される。
【００５０】
図７に示されるように、遊技釘１９は、先端側の一端１９ａが遊技盤２０の遊技領域ＰＡに形成された複数の小孔１２２の夫々に打ち込まれており、突出側の他端（頭部）１９ｂが遊技領域ＰＡに対して直角の角度（水平方向）で遊技盤２０の前面側に突出した状態に取り付けられる。そして、複数（本実施例では、４本）の固定用ねじ部材８４が遊技釘保護板８０の各挿通孔８０ａに挿通されて遊技盤２０のねじ孔１２０に螺入されると、遊技釘保護板８０は遊技盤２０に対して締結されると共に、遊技領域ＰＡを覆うように取り付けられる。
【００５１】
その際、遊技釘１９の他端１９ｂは、遊技釘保護板８０の背面に形成された複数の嵌合孔１２３に嵌合し、軸線に対して直交する半径方向（上下左右方向）への位置ずれを規制された状態に保持される。このように、遊技釘保護板８０が遊技盤２０の前面側に固定されると、例え施錠装置１４の鍵穴にキーを差し込んでガラス扉１５を開いたとしても遊技釘保護板８０が遊技釘１９を保護する隔壁として機能するため、遊技釘１９の位置や傾きを調整することを防止できる。
【００５２】
例えば、第三者が工具を用いて固定用ねじ部材８４を緩めて遊技釘保護板８０して遊技釘１９の位置や傾きを調整することが考えられるが、その場合には、遊技釘１９の他端１９ｂが正規の位置からずれているので、遊技釘保護板８０を遊技盤２０の前面側に固定しようとしても位置調整された遊技釘１９の他端１９ｂが嵌合孔１２３に嵌合せず、遊技釘保護板８０の背面に当接することになる。そのため、遊技釘１９の位置や傾きを調整した場合には、遊技釘保護板８０が遊戯盤２０から浮いた状態になってしまい遊技釘保護板８０を取り付けることができなくなるので、位置調整した当該遊技釘１９の位置を元の位置（工場出荷時の正規の位置）に戻さなければならない。このことから遊技釘１９の位置や傾きを調整することが防止できる。
【００５３】
さらに、第三者が遊技釘１９の位置や傾きを調整した後、遊技釘保護板８０を遊技盤２０の前面側に固定せずにガラス扉１５を閉じて施錠装置１４をロックした場合には、保護板検出部材１２１によって遊技釘保護板８０の存在が検出されないため、例えば、左右スピーカ８１，８２から警報（アラーム）が発せられて不正操作が行われたことを報知することができる。この報知機能を有することを記載したステッカーを当該パチンコ機１０のガラス扉１５に貼ることによって、第三者が遊技釘１９の位置や傾きを調整することを断念するため、遊技釘１９の位置や傾きを調整することを防止できる。
【００５４】
ここで、変形例１について図８を参照して説明する。図８は変形例１の分解斜視図である。尚、図８において、上記実施例と同一部分には、同一符号を付してその説明を省略する。
【００５５】
図８に示されるように、変形例１では、遊技盤２０の遊技領域ＰＡが透明なアクリル板などからなる透明板１３０によって形成されている。そして、透明板１３０の背面には、遊技領域ＰＡに対向する面積を有する大型液晶ディスプレイ１３１が登載された大型液晶ユニット１３２が取り付けられる。この大型液晶ディスプレイ１３１は、前述した液晶ユニット１３１よりも大型であり、演出図柄表示装置２２による図柄表示を遊技領域ＰＡ全体で行えるように構成されている。
【００５６】
このように大型液晶ユニット１３２を有する構成でも前述した遊技釘保護板８０を固定用ねじ部材８４によって遊技盤２０の前面側に締結することができ、この変形例１の場合も前述した実施例と同様に、遊技釘保護板８０が遊技盤２０の遊技領域ＰＡを覆うように取り付けられると、遊技釘１９の他端１９ｂが、遊技釘保護板８０の背面に形成された複数の嵌合孔１２３に嵌合し、軸線に対して直交する半径方向（上下左右方向）への位置ずれを規制された状態に保持される。これにより、例え施錠装置１４の鍵穴にキーを差し込んでガラス扉１５を開いたとしても遊技釘保護板８０が遊技釘１９を保護する隔壁として機能するため、遊技釘１９の位置や傾きを調整することを防止できる。
【００５７】
図９は変形例２の遊技釘１９の保持構造を拡大して示す縦断面図である。尚、図９において、上記実施例と同一部分には、同一符号を付してその説明を省略する。
【００５８】
図９に示されるように、変形例２では、前述した遊技釘１９の代わりに頭部を有する遊技釘１３９が使用される。この遊技釘１３９は、遊技領域ＰＡに形成された小孔１２２に打ち込まれる先端１３９ａが円錐形状に尖っており、打ち込み工程での小孔１２２に対する食い込みが容易に行える。また、遊技釘１３９は、遊技釘保護板８０の嵌合孔１２３に嵌合される頭部１３９ｂが軸部１３９ｃよりも大径に形成されている。
【００５９】
従って、遊技釘１３９は、軸部１３９ｃが頭部１３９ｂよりも小径であり、細く形成されている分、前述した円柱ピン形状の遊技釘１９よりも撓みやすくなっており、軸部１３９ｃの直径を選択することにより遊技球が当接した際の弾性変形に伴う反発力（反発係数）を任意の値に変更（減少または増加）することが可能になる。
【図面の簡単な説明】
【００６０】
【図１】本発明になる弾球遊技機の一実施例を示す正面図である。
【図２】図１に示す弾球遊技機の背面図である。
【図３】前枠１２の前面及び前枠１２の前面に取り付けられる部品を示す分解斜視図である。
【図４】前枠１２の背面及び前枠１２の背面に取り付けられる部品を示す分解斜視図である。
【図５】演出図柄表示装置２２の裏側に取り付けられる部品を示す分解斜視図である。
【図６】遊技釘保護板８０と遊技盤２０との相対位置関係を示す分解斜視図である。
【図７】遊技釘１９の保持構造を拡大して示す縦断面図である。
【図８】変形例１の分解斜視図である。
【図９】変形例２の遊技釘１９の保持構造を拡大して示す縦断面図である。
【符号の説明】
【００６１】
１０  パチンコ機
１１  外枠
１２  前枠
１４  施錠装置
１５  ガラス扉
１６  皿ユニット
１８  操作ハンドル
１９  遊技釘
２０  遊技盤
２２  演出図柄表示装置
２４  始動入賞装置
２５  普通図柄作動ゲート
２６  第１大入賞装置
２８  普通入賞装置
２７  普通図柄表示装置
２９  アウト口
３０  センター役物
４０  裏セット盤
４１  球貯留タンク
６０  主基板
７０  サブ制御基板
８０  遊技釘保護板
８４  固定用ねじ部材
９５  発射装置
９７  前枠掛止機構
１１１  液晶ユニット
１２０  ねじ孔
１２１  保護板検出部材
１２２  小孔
１２３  嵌合孔
１３０  透明板
１３１  大型液晶ディスプレイ
１３２  大型液晶ユニット
１３９  遊技釘
【図１】
2006247283.tif 000003
【図２】
2006247283.tif 000004
【図３】
2006247283.tif 000005
【図４】
2006247283.tif 000006
【図５】
2006247283.tif 000007
【図６】
2006247283.tif 000008
【図７】
2006247283.tif 000009
【図８】
2006247283.tif 000010
【図９】
2006247283.tif 000011